(57)【要約】【課題】簡単な構造で且つ低コストで対応できる構造でありながら、穀稈の受渡し箇所の下方側箇所にワラ屑等が堆積することを回避させることが可能であり、しかも、受渡し箇所の下方側の空間を有効利用して設けられる液体貯留タンクに対する液体の補給作業を容易に行えるようにすることが要望されていた。【解決手段】刈取搬送部３により搬送される刈取穀稈を脱穀装置４の前側面に形成された穀稈供給口２３に案内する入口プレート２４と、入口プレート２４の下方に位置するとともに上部に補給口３７を有する液体貯留タンク３３と、入口プレート２４の前端部から補給口３７の前方を通って補給口３７の前下方側箇所まで延びる流下案内板４２とが備えられ、入口プレート２４のうち補給口３７の上方に位置する部分に補給用開口４０が形成され、補給用開口４０が開閉可能な蓋体４１によって閉塞されている。【選択図】図３
2020039294.tif 000002
【特許請求の範囲】
【請求項１】
植立穀稈を刈り取って、その刈取穀稈を後方に搬送する刈取搬送部と、
刈取穀稈を脱穀処理する脱穀装置と、
前記刈取搬送部により搬送される刈取穀稈を前記脱穀装置の前側面に形成された穀稈供給口に案内する入口プレートと、
前記入口プレートの下方に位置するとともに上部に補給口を有する液体貯留タンクと、
前記入口プレートの前端部から前記補給口の前方を通って前記補給口の前下方側箇所まで延びる流下案内板とが備えられ、
前記入口プレートのうち前記補給口の上方に位置する部分に補給用開口が形成され、
前記補給用開口が開閉可能な蓋体によって閉塞されているコンバイン。
【請求項２】
前記流下案内板が前記液体貯留タンクの前下部の前方側箇所まで延ばされている請求項１に記載のコンバイン。
【請求項３】
前記刈取搬送部に、搬送する刈取穀稈の下側に位置する状態で前記穀稈供給口に向けて延びる可撓性シートからなる受渡し案内板が備えられ、
前記受渡し案内板の後端部は、前記入口プレートの上面に載置支持され、
前記補給用開口は、前記入口プレートのうち前記受渡し案内板の下方に位置する部分に形成されている請求項１又は２に記載のコンバイン。
【請求項４】
前記入口プレートの前端部にフック状の係止部が備えられ、
前記流下案内板の後端部が前記係止部に係止される状態で支持されている請求項１から３のいずれか１項に記載のコンバイン。
【発明の詳細な説明】
【技術分野】
【０００１】
本発明は、植立穀稈を刈り取って、その刈取穀稈を後方に搬送する刈取搬送部と、刈取穀稈を脱穀処理する脱穀装置とが備えられているコンバインに関する。
【背景技術】
【０００２】
この種のコンバインにおいて、脱穀装置の前側面には刈取穀稈を受け入れる穀稈供給口が形成され、脱穀装置の前側に、穀稈供給口に刈取穀稈を案内する入口プレートが備えられ、入口プレートの下方に液体貯留タンク（オイルタンク）が備えられたものがあった。この構成は、穀稈搬送装置から入口プレートへの受渡し箇所の下方側の空間を有効利用して液体貯留タンクを備えるようにしたものである。
【０００３】
そして、刈取搬送部から入口プレートへの受渡し箇所から零れ落ちたワラ屑等が、液体貯留タンクの上部に堆積することを回避させるために、ワラ屑等を外方側に向けて案内する金属材からなる案内板が備えられている。案内板には、液体貯留タンクの補給口に対応する箇所に切欠きが形成され、切欠きを閉じる蓋体が、ボルトの締め付けにより固定する状態と、ボルトを緩めて開放させる状態とに切り換え可能に設けられる構成となっていた（例えば、特許文献１参照）。
【先行技術文献】
【特許文献】
【０００４】
【特許文献１】特開２０１５−１８６４４７号公報
【発明の概要】
【発明が解決しようとする課題】
【０００５】
上記従来構成では、案内板には、液体貯留タンクの補給口を開放させるために切欠きが形成されており、補給のために切欠きを開放させる状態と、ワラ屑等の案内のために切欠きを閉塞する状態とに切り換えるための機構が必要であり、製作の手間がかかり、コスト高を招く不利があった。又、液体貯留タンクに液体（オイル）を補給するときに、ボルトの取り外し作業や締結作業等の煩わしい作業が必要となっていた。
【０００６】
そこで、簡単な構造で且つ低コストで対応できる構造でありながら、穀稈の受渡し箇所の下方側箇所にワラ屑等が堆積することを回避させることが可能であり、しかも、受渡し箇所の下方側の空間を有効利用して設けられる液体貯留タンクに対する液体の補給作業を容易に行えるようにすることが要望されていた。
【課題を解決するための手段】
【０００７】
本発明に係るコンバインの特徴構成は、植立穀稈を刈り取って、その刈取穀稈を後方に搬送する刈取搬送部と、刈取穀稈を脱穀処理する脱穀装置と、前記刈取搬送部により搬送される刈取穀稈を前記脱穀装置の前側面に形成された穀稈供給口に案内する入口プレートと、前記入口プレートの下方に位置するとともに上部に補給口を有する液体貯留タンクと、前記入口プレートの前端部から前記補給口の前方を通って前記補給口の前下方側箇所まで延びる流下案内板とが備えられ、前記入口プレートのうち前記補給口の上方に位置する部分に補給用開口が形成され、前記補給用開口が開閉可能な蓋体によって閉塞されている点にある。
【０００８】
本発明によれば、入口プレートの下方、すなわち、穀稈の受渡し箇所の下方側の空間を有効利用して液体貯留タンクが備えられる。そして、刈取穀稈の搬送に伴って、刈取搬送部の終端部と脱穀装置側の入口プレートとの間の受渡し箇所からワラ屑が落下することがあっても、流下案内板によって受止められて液体貯留タンク上に堆積することなく外方側へ流下案内される。例えば、下方側に開放されている箇所から機体下方へ流下させることにより、穀稈の受渡し箇所の下方側箇所にワラ屑等が堆積することを回避させることができる。
【０００９】
液体貯留タンクに対して液体を補給するときは、蓋体を開けて入口プレートに形成された補給用開口を開放させた状態で、入口プレートの上方側から補給することができる。このように簡単な操作で煩わしさなく容易に補給作業を行えるものとなる。
【００１０】
従って、穀稈の受渡し箇所の下方側箇所にワラ屑等が堆積することを回避させることが可能であり、しかも、受渡し箇所の下方側の空間を有効利用して設けられる液体貯留タンクに対する液体の補給作業を容易に行えるようにすることが可能となった。
【００１１】
本発明においては、前記流下案内板が前記液体貯留タンクの前下部の前方側箇所まで延ばされていると好適である。
【００１２】
本構成によれば、流下案内板によって流下案内されるワラ屑は、液体貯留タンクの前下部の前方側箇所まで案内されたのち、液体貯留タンクの前方側から下方外方側に排出される。従って、ワラ屑が液体貯留タンクの上側に堆積することを確実に回避させることができる。
【００１３】
本発明においては、前記刈取搬送部に、搬送する刈取穀稈の下側に位置する状態で前記穀稈供給口に向けて延びる可撓性シートからなる受渡し案内板が備えられ、前記受渡し案内板の後端部は、前記入口プレートの上面に載置支持され、前記補給用開口は、前記入口プレートのうち前記受渡し案内板の下方に位置する部分に形成されていると好適である。
【００１４】
本構成によれば、刈取搬送部によって搬送される刈取穀稈は、刈取搬送部から入口プレートに亘って延びる受渡し案内板の上側を案内される。このとき、補給用開口は受渡し案内板の下側に位置するので、搬送される刈取穀稈が蓋体に引っ掛かることはなく、搬送を阻害するおそれはない。液体を補給する際には、可撓性を有する受渡し案内板を捲り上げて補給用開口（蓋体）を開放させることが可能であり、容易に補給作業を行うことができる。
【００１５】
本発明においては、前記入口プレートの前端部にフック状の係止部が備えられ、前記流下案内板の後端部が前記係止部に係止される状態で支持されていると好適である。
【００１６】
本構成によれば、流下案内板を装着するときは、流下案内板の後端部をフック状の係止部に引っ掛けて係止支持させるという簡単な作業で対応できる。
【図面の簡単な説明】
【００１７】
【図１】コンバインの全体側面図である。
【図２】コンバインの全体平面図である。
【図３】穀稈受け渡し箇所の側面図である。
【図４】穀稈受け渡し箇所の平面図である。
【図５】穀稈搬送装置の一部と受渡し案内板を外した状態の穀稈受け渡し箇所の平面図である。
【図６】穀稈受け渡し箇所の正面図である。
【図７】流下案内板の取付状態を示す斜視図である。
【図８】流下案内板の取付状態を示す縦断側面図である。
【図９】補給用開口形成部の縦断側面図である。
【発明を実施するための形態】
【００１８】
以下、本発明に係るコンバインの実施形態について図面に基づいて説明する。
【００１９】
〔全体構成〕
図１，２に示すように、コンバインは、左右一対のクローラ走行装置１を備えた走行機体２の前部に横軸芯Ｘ周りで昇降操作自在に刈取搬送部３が連結され、走行機体２の後部に機体横幅方向に並ぶ状態で脱穀装置４と穀粒を貯留する穀粒タンク５とが備えられている。又、走行機体２の前部右側箇所にキャビン６にて覆われた搭乗運転部７が備えられ、この搭乗運転部７の下方側に駆動用のエンジン８が備えられている。機体後部には、穀粒タンク５に貯留される穀粒を外部に排出するスクリューコンベア式の穀粒排出装置９が備えられている。
【００２０】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。
【００２１】
刈取搬送部３には、倒伏した植立穀稈を引き起こす複数の引起し装置１０、引起された植立穀稈の株元を切断するバリカン型の刈取装置１１、株元が切断された縦姿勢の刈取穀稈を徐々に横倒れ姿勢に姿勢変更させながら、機体後方側に位置する脱穀装置４に向けて搬送する穀稈搬送装置１２等が備えられている。
【００２２】
脱穀装置４には、刈取穀稈の株元を挟持して後方に搬送する脱穀フィードチェーン１３が備えられ、脱穀装置４の内部には、脱穀フィードチェーン１３によって挟持搬送される刈取穀稈の穂先側を扱き処理する扱室１４が備えられている。扱室１４には、前後軸芯周りで回転して刈取穀稈の穂先部を扱き処理する扱胴１５が備えられている。
【００２３】
扱室１４の下方には扱き処理された脱穀処理物について選別処理を行う選別部１７が備えられている。詳述はしないが、選別部１７は、受網１６から漏下した脱穀処理物を、穀粒と、枝付き粒等の二番物と、ワラ屑等の塵埃とに選別する。穀粒は穀粒タンク５にて貯留され、二番物は扱室１４に還元され、ワラ屑は後端部から外方に排出される。
【００２４】
図１，３，４に示すように、穀稈搬送装置１２には、刈取穀稈の株元側を挟持搬送する株元挟持搬送装置１８と、刈取穀稈の穂先側を係止搬送する穂先係止搬送装置１９と、刈取穀稈の穂先部を受止めて載置しながら案内する穂先案内板２０、刈取穀稈の中間部を受止めて案内する中間案内板２１（図４参照）、等が備えられている。株元挟持搬送装置１８は、刈り取られた縦姿勢の刈取穀稈の株元を挟持して後方斜め上方に向けて搬送する。穂先係止搬送装置１９は、刈取穀稈の穂先側を係止して、刈取穀稈が縦姿勢から徐々に横倒れ姿勢になるように搬送する。穂先案内板２０は、左右方向に幅広の底部案内面２０ａと、穂先側端部が外方に突出するのを防止する縦向き案内面２０ｂとを有している。中間案内板２１は、刈取穀稈の中間部を載置案内する。図１，２に示すように、穀稈搬送装置１２の上方には、穀稈搬送装置１２によって刈取穀稈を搬送するのに伴って発生するワラ屑や細かな塵埃等が外方に飛散するのを防止する防塵カバーＫが備えられている。尚、図３〜図６では、防塵カバーＫは省略している。
【００２５】
穀稈搬送装置１２から脱穀装置４への刈取穀稈の受け渡し箇所には、穀稈搬送装置１２の搬送終端部から脱穀フィードチェーン１３に向けて刈取穀稈の株元を案内する中継搬送装置２２が備えられている（図４参照）。
【００２６】
図６に示すように、脱穀装置４における前側面には穀稈供給口２３が形成されている。刈取穀稈の株元側が、株元挟持搬送装置１８及び中継搬送装置２２により後方に向けて搬送される。刈取穀稈の穂先側が、穂先案内板２０によって受止め支持された状態で穂先係止搬送装置１９によって後方に係止搬送される。そして、刈取穀稈の株元側が脱穀フィードチェーン１３に受け渡されて、穂先部が穀稈供給口２３を通して脱穀装置４の内部に送り込まれる。
【００２７】
〔穀稈受け渡し箇所の構成〕
脱穀装置４における穀稈供給口２３の前部側には、穀稈搬送装置１２により搬送される刈取穀稈を穀稈供給口２３に案内する入口プレート２４が備えられている。図７に示すように、入口プレート２４は、穀稈供給口２３の下端縁に略沿うように略円弧状に形成されるとともに、穀稈の穂先側端部には、縦向き案内面２４ａを有している。
【００２８】
図３，４に示すように、穀稈搬送装置１２の後部には、搬送する刈取穀稈の下側に位置する状態で穀稈供給口２３に向けて延びる受渡し案内板２５が備えられている。受渡し案内板２５は、穀稈搬送装置１２の後部側箇所から入口プレート２４の前後途中部に亘って前後方向に延び、且つ、穀稈供給口２３の左右両側端部に亘って入口プレート２４に沿うように略円弧状に延びている。受渡し案内板２５の前部は、穂先案内板２０における底部案内面２０ａ及び縦向き案内面２０ｂの夫々と、中間案内板２１とにボルト連結されている。受渡し案内板２５の後部は、入口プレート２４の上側に載置支持されている。受渡し案内板２５は、例えば、ゴム板等の軟質材からなる可撓性シートにより構成されている。
【００２９】
図３，４，５に示すように、穀稈搬送装置１２と入口プレート２４との間の穀稈の受渡し箇所において、穀稈移動領域の右側箇所には、搬送される刈取穀稈の穂先側を受け止めて穀稈供給口２３に向けて案内する縦向き姿勢の穂先案内部材２６が備えられている。穂先案内部材２６における前部側案内部２６ａは、前端部が機体右側に位置し、後側に向かうほど機体右側に位置する傾斜姿勢で延びる状態で設けられている。穂先案内部材２６における後部側案内部２６ｂは、前部側案内部２６ａの後端部に連なる状態で設けられ、平面視で前後方向に真っすぐに機体後側に向けて延びる状態で設けられている。
【００３０】
例えば、刈取対象作物が麦である場合、麦は穂先側が硬くて搬送に伴って折れやすい。その結果、穀稈供給口２３の手前側箇所に空間があると、折れた茎稈屑が堆積するおそれがある。しかし、穂先案内部材２６を上記したような形状にすることで、刈取穀稈の搬送に伴って、穂先案内部材２６によって折れた茎稈屑が穀稈通過域に寄せられるので、滞留せずに脱穀装置４に向けて穀稈と共に搬送させることができる。
【００３１】
刈取搬送部３は、その全体が、前後方向に沿って延びる前後向き筒状フレーム２７により支持される構成となっており、この前後向き筒状フレーム２７を介して横軸芯Ｘ周りで昇降操作自在に走行機体２に支持されている。又、刈取搬送部３は、縦軸芯Ｙ周りで揺動可能に走行機体２に支持され、機体前方横外方に向けて移動して機体前部を開放するメンテナンス位置（図示せず）に姿勢切り換え可能に構成されている。
【００３２】
図３，５，６に示すように、前後向き筒状フレーム２７の後端部が横向き姿勢の横向き筒状フレーム２８に一体的に連結固定されており、この横向き筒状フレーム２８は、機体側に設けられた左右一対の受止め保持部２９，３０により横軸芯Ｘ周りに回動自在に受止め支持されている。
【００３３】
図１，３に示すように、前後向き筒状フレーム２７の途中部と機体フレーム３１の前端部とにわたって油圧シリンダ３２が枢支連結されており、この油圧シリンダ３２を伸縮操作することで、刈取搬送部３が横軸芯Ｘ周りで昇降操作可能に構成されている。
【００３４】
図３，６に示すように、入口プレート２４の下方側であって横向き筒状フレーム２８の下方側に位置する状態で、作動油を貯留するためのオイルタンク３３（液体貯留タンクの一例）が配備されている。このオイルタンク３３は、全体として剛性の高い構造体にて構成されている。オイルタンク３３における左右側面は平面状に形成され、オイルタンク３３の上面３３ａは側面視山形状に形成されている。従って、上面３３ａにおける頂部３３ａ１よりも前部側は前下がり傾斜姿勢に設けられている。このオイルタンク３３は、複数箇所をボルト締結することにより機体フレーム３１に取り付け固定されている。
【００３５】
図３に示すように、オイルタンク３３の左側面３３ｂは、上面３３ａや後面３３ｃよりも後方上方側に突出する状態で延長形成されている。この左側面３３ｂにおける外側で且つ機体前部側の箇所に、その左側面３３ｂに一体的に連設される状態で、刈取搬送部３を縦軸芯Ｙ周りで回動自在支持する回動支持部３４が設けられている。この回動支持部３４は、オイルタンク３３の左側面３３ｂを利用して略箱状に形成されている。
【００３６】
刈取搬送部３を縦軸芯Ｙ周りで回動可能に支持するための筒状の支持軸３５が、縦軸芯Ｙ周りで回動自在に支持される状態で回動支持部３４の内部に収納されている。支持軸３５の上部側箇所に横向き筒状フレーム２８を支持するための左側の受止め保持部２９が取り付けられている。左側の受止め保持部２９は横向き筒状フレーム２８を横軸芯Ｘ周りで支持軸３５と一体回動が可能な状態で挟み込み保持する。
【００３７】
図示はしていないが、オイルタンク３３の左側面３３ｂの外側における回動支持部３４の後側箇所には、エンジン８からの動力を刈取搬送部３に伝達するための刈取用伝動機構、例えば、刈取駆動速度を変速する刈取用無段変速装置等が備えられている。
【００３８】
図６に示すように、横向き筒状フレーム２８を回動自在に受止め保持するための右側の受止め保持部３０は、オイルタンク３３の上部にブラケット３６を介して取り付けて支持されている。この右側の受止め保持部３０は、左側の受止め保持部２９と同様に、横向き筒状フレーム２８を横軸芯Ｘ周りでの回動が可能な状態で挟み込み保持する。
【００３９】
このような支持構造において、左右一対の受止め保持部２９，３０のうちの右側の受止め保持部３０を開放状態に切り換えて、刈取搬送部３全体を支持軸３５における縦軸芯Ｙ周りで揺動させることができる。
【００４０】
オイルタンク３３の上面３３ａにおける頂部３３ａ１よりも後部側であって機体左側寄りの箇所に、給油口３７（補給口の一例）が形成されている。図３に示すように、上面３３ａから上方に向けて大きく突出する状態でタンク内部に連通する筒部３８が設けられ、この筒部３８の上端部に給油口３７が形成されている。この給油口３７は、給油作業時以外は着脱自在に装着されるキャップ３９により閉塞されている。
【００４１】
図７，９に示すように、入口プレート２４のうち給油口３７の上方に位置する部分に円形の補給用開口４０が形成されている。補給用開口４０が開閉可能な蓋体４１によって閉塞されている。蓋体４１は、合成樹脂材にて構成されており、補給用開口４０に嵌まり込むように押し込み装着することで補給用開口４０を閉塞する閉状態に保持可能に構成されている。
【００４２】
図３，４に示すように、補給用開口４０は、入口プレート２４のうち受渡し案内板２５の下方に位置する部分に形成されている。従って、通常の刈取作業時には、蓋体４１によって閉塞されている補給用開口４０は、受渡し案内板２５によって上方側から覆われている。従って、搬送される刈取穀稈は、受渡し案内板２５の上部面に沿って移動案内され、蓋体４１や補給用開口４０の周縁部等に引っ掛かり滞留することがなく、穀稈搬送を阻害するおそれはない。給油する際には、受渡し案内板２５を捲り上げて上方を開放させた状態で、蓋体４１を外すことにより、給油を行うことができる。
【００４３】
〔流下案内板〕
そして、入口プレート２４の前端部から給油口３７の前方を通って給油口３７の前下方側箇所まで延びる流下案内板４２が備えられている。具体的には、図３，５，６，７に示すように、流下案内板４２の前部側は、オイルタンク３３の前下部の前方側箇所まで延ばされている。流下案内板４２は、例えばゴム板、あるいは、軟質の合成樹脂板等の可撓性シートにより構成されている。流下案内板４２は、後端部が係止保持され、前端部が自由状態で垂れ下がる構成となっている。
【００４４】
図７，８に示すように、入口プレート２４の前端部における下面側に複数のフック状の係止部４３が備えられている。この係止部４３は、入口プレート２４の前端部の下面側に帯板状の板金材の一端側が固定され、この板金材の他端側をフック状に折り曲げて形成されている。
【００４５】
流下案内板４２の後端部がフック状の係止部４３に支持されている。すなわち、流下案内板４２の後端部における係止部４３に対応する位置に挿通孔４４が形成されている。挿通孔４４には、補強用のハトメ４５が備えられている。係止部４３のフック状部分４３ａを挿通孔４４に入り込み挿通させた状態で、流下案内板４２の後端部が支持されている。
【００４６】
流下案内板４２として、オイルタンク３３の上方に対応する右側の流下案内板４２Ａと、左側の受止め保持部２９等の上方に対応する左側の流下案内板４２Ｂとが備えられている。左右の流下案内板４２Ａ、４２Ｂは夫々、後端部が左右一対の係止部４３により係止保持されている。
【００４７】
図３，７に示すように、右側の流下案内板４２Ａの前部側は、オイルタンク３３の上面３３ａに沿って載置される状態で前下方側に垂れ下がる姿勢で支持されている。右側の流下案内板４２Ａの前端部は、オイルタンク３３の前下部の前方側箇所まで延ばされている。一方、左側の流下案内板４２Ｂの前部側は、左側の受止め保持部２９の上部面に沿って載置される状態で前下方側に垂れ下がる姿勢で支持されている。左側の流下案内板４２Ｂの前端部は、回動支持部３４の下端部の前方側箇所まで延ばされている。
【００４８】
オイルタンク３３の前下部の前方側箇所及び回動支持部３４の下端部の前方側箇所は、図３に示すように、機体フレーム３１の前端部よりも前方側であり、その箇所の下方側は開放された空間となっており、流下案内板４２（４２Ａ，４２Ｂ）により案内されるワラ屑等は、下方のクローラ走行装置１の上部、あるいは、地面上に落下する。
【００４９】
〔別実施形態〕
（１）上記実施形態では、右側の流下案内板４２Ａが、オイルタンク３３の前下部の前方側箇所まで延ばされる構成としたが、この構成に代えて、給油口３７の前下方側箇所まで延び、オイルタンク３３の上面３３ａにおける前下がり傾斜姿勢の頂部２３ｃ１よりも前部側箇所における途中位置まで延ばされる構成としてもよい。つまり、流下案内板４２により案内されたのち、オイルタンク３３の前下がり傾斜姿勢の前部側箇所を利用してワラ屑を流下案内させる構成である。
【００５０】
（２）上記実施形態では、流下案内板４２として、右側の流下案内板４２Ａと左側の流下案内板４２Ｂとが備えられる構成としたが、この構成に代えて、例えば、左側の流下案内板４２Ｂの下方側に対応する箇所を大きく開放させる構成として、右側の流下案内板４２Ａだけを備え、左側の流下案内板４２Ｂを備えない構成としてもよい。
【００５１】
（３）上記実施形態では、入口プレート２４の前端部にフック状の係止部４３が備えられ、流下案内板４２の後端部が係止部４３に係止される状態で支持される構成としたが、この構成に代えて、例えば、入口プレート２４の下面側に溶接ボルトを備えておき、流下案内板４２に形成した挿通孔を通してナットで締め付け固定する構成、あるいは、入口プレート２４の下面側に挟み保持機構（クリップ等）を備えて、流下案内板４２を挟持して支持する構成等、種々の構成を採用することができる。
【００５２】
（４）上記実施形態では、液体貯留タンクとして作動油を貯留するためのオイルタンク３３を備える構成としたが、これに代えて、エンジン８の燃料を貯留する燃料タンクでもよく、エンジン８の排ガス処理装置に用いられる尿素水を貯留する尿素水タンク等であってもよい。
【００５３】
（５）上記実施形態では、流下案内板４２がゴム板等の軟質材からなる可撓性シートによって構成されるものを示したが、この構成に代えて、硬質の合成樹脂材や金属等からなる硬質の板体で構成して、入口プレート２４の前端部にボルト連結構造や溶接等により固定して、ワラ屑等を流下案内するように、前方下方側に向けて延びる状態で備えるものでもよい。
【産業上の利用可能性】
【００５４】
本発明は、植立穀稈を刈り取って、その刈取穀稈を後方に搬送する刈取搬送部と、刈取穀稈を脱穀処理する脱穀装置とが備えられているコンバインに適用できる。
【符号の説明】
【００５５】
３      刈取搬送部
４      脱穀装置
２３    穀稈供給口
２４    入口プレート
２５    受渡し案内板
３３    オイルタンク（液体貯留タンク）
３７    給油口（補給口）
４０    補給用開口
４２    流下案内板
４３    係止部
【図１】
2020039294.tif 000003
【図２】
2020039294.tif 000004
【図３】
2020039294.tif 000005
【図４】
2020039294.tif 000006
【図５】
2020039294.tif 000007
【図６】
2020039294.tif 000008
【図７】
2020039294.tif 000009
【図８】
2020039294.tif 000010
【図９】
2020039294.tif 000011